(57)【特許請求の範囲】
【請求項１】
洗浄水を供給する給水路と、
給水温度を検知する水温検知手段と、
前記給水路に接続してなる洗浄水加熱手段と、
前記洗浄水加熱手段によって加熱された洗浄水の温度を検知する湯温検知手段と、
前記水温検知手段と湯温検知手段の信号を取り込み、前記洗浄水加熱手段による洗浄水の加熱を制御する制御器と、
洗浄水の吐水先を人体洗浄位置と排水位置とのいずれかに変更する変更手段と、
洗浄水を噴出する洗浄ノズルと、
を備えてなる人体洗浄装置において、
前記変更手段が前記洗浄水の吐水先を前記排水位置とした状態で前記洗浄水加熱手段により前記洗浄水を加熱しつつ前記給水路に通水する時間を、周囲環境温度を検知する温度検知手段からの信号に応じて予め決定し、前記予め決定した時間だけ、前記洗浄水加熱手段により前記洗浄水を加熱しつつ前記給水路に通水することを特徴とする人体洗浄装置。
【請求項２】
請求項１記載の人体洗浄装置において、
前記装置への人体接近もしくは前記装置の使用を検知する着座検知手段により着座が検知されると、洗浄水の供給が指示され、前記洗浄ノズルを収納した状態にて吐水して洗浄水を便器内に排出し、
前記排出の際に、前記洗浄水加熱手段により加熱された洗浄水を前記給水路に通水する時間を、前記温度検知手段の検知温度が低い場合には伸ばすことを特徴とする人体洗浄装置。
【請求項３】
請求項１記載の人体洗浄装置において、
洗浄水の供給又は停止を指示する操作手段により洗浄水の供給が指示されると、前記変更手段により前記洗浄ノズルを収納した状態にて吐水し、
前記吐水の際に、前記洗浄ノズルを収納した状態にて前記洗浄水加熱手段により加熱された洗浄水を前記給水路に通水する時間を、前記温度検知手段の検知温度が低い場合には伸ばすことを特徴とする人体洗浄装置。
【請求項４】
請求項１〜３のいずれか１つに記載の人体洗浄装置において、
前記温度検知手段として、室温検知手段を利用することを特徴とする人体洗浄装置。
【請求項５】
請求項１〜３のいずれか１つに記載の人体洗浄装置において、
前記温度検知手段として、前記水温検知手段を利用することを特徴とする人体洗浄装置。
【発明の詳細な説明】
【０００１】
【発明の属する技術分野】
本発明は、特に給水源から供給される水を所定温度の適温湯に短時間で加熱して人体を洗浄する人体洗浄装置に関するものである。
【０００２】
【従来の技術】
従来のこの種の人体洗浄装置の例を図３に示す。ここで図３は、洗浄水の供給系を示す概略構成図である。図３において、洗浄水を供給する給水配管５１には、上流側から順に、定流量弁５２、電磁弁５３、バキュームブレーカ５４が接続されている。バキュームブレーカ５４の下流は二方に分岐し、一方は余剰の水を便器内に直接捨てるための捨水配管５５へ、他方は流量調整用ポンプ５６へ接続されている。流量調整用ポンプ５６の下流には、順に熱交換器５７、流路切替弁５８、ノズル装置５９が設けてある。
熱交換器５７内には温水ヒータ６０が、また熱交換器５７の入水部と出水部には、それぞれ冷水サーミスタ６１及び温水サーミスタ６２が設けてある。ノズル装置５９には、おしり流路６３、ビデ流路６４、捨水路６５の３つの流路が構成されている。なお上記各部の制御は、制御器６６によって行われる。
上記の構成により、電磁弁５３の開動作により給水配管５１から供給された洗浄水は、バキュームブレーカ５４を押し上げ流量調整用ポンプ５６によって流量調節され、熱交換器５７により適温の湯に加熱され、流路切替弁５８へと至る。
ここで洗浄水は、流路切替弁５８により選択された流路を通り、ノズル装置５９から噴出されるのである。
【０００３】
図４には、従来のタイムチャートを示す。便座（図示せず）に設けられた着座スイッチ（図示せず）により着座を検知すると、電磁弁５３、流量調整用ポンプ５６、温水ヒータ６０の順に起動し、所定時間が経過すると逆の順に駆動を停止する。これにより、熱交換器５７内の滞留水は湯に置換されるのである。なお、この動作中に供給された洗浄水は、流路切替弁５８を経てノズル装置５９の捨水路６５から便器内に排出される。（通水加熱）
次に、おしり洗浄を開始するため、おしりスイッチ（図示せず）が操作されると、電磁弁５３、流量調整用ポンプ５６、温水ヒータ６０が順に起動される。そしてノズル装置５９における流路は、流路切替弁５８によりおしり流路６３に切り替えられてノズル装置５９のおしり吐水口部の前洗浄を所定時間行い、再び捨水路６５に切り替えられる。このとき捨水路６５の排水先をノズル装置５９の胴体を洗浄できる位置にしておけば、ノズル装置５９の胴体洗浄を行うこともできる。（前洗浄）
その後ノズルを伸出させ、流路切替弁５８により流路をおしり流路６３に切り替え、おしり洗浄を行うのである。（ノズル伸出・本洗浄）
次に、おしり洗浄を停止するため、停止スイッチ（図示せず）が操作されると、温水ヒータ６０、流量調整用ポンプ５６、電磁弁５３が順に駆動を停止する。そして流路切替弁５８により流路を捨水路６５に切り替えた後、ノズルを後退させ、収納位置に収納する。（ノズル収納）
所定時間経過後、再度、電磁弁５３、流量調整用ポンプ５６、温水ヒータ６０が順に起動し、所定時間が経過すると逆の順に駆動を停止する。このときノズル装置５９における流路は、流路切替弁５８によりおしり流路６３と捨水路６５とに順次切り替えられ、ノズル装置５９のおしり吐水孔部や胴体の後洗浄を所定時間行う。（後洗浄）
上記の構成によれば、洗浄水の加熱を行うのは着座を検知しているときのみであるため、非使用時の待機電力の消費が少なくて済み、常時タンク内に湯を保温させる貯湯タイプの人体洗浄装置に比べて、大幅な節電を図ることが可能となっている。
【０００４】
【発明が解決しようとする課題】
しかしながら上記した従来の構成の場合、洗浄スイッチが操作されてから所定の時間前洗浄を行ない吐水をするため冬場など周囲環境温度が低い場合に熱交換器以降の給水路で適温水が冷やされ、洗浄初期の洗浄水温度が下がる現象があった。すなわち、人体の洗浄を行うのに適した温度の洗浄水を得るのは難しく、特に寒冷地における冬季の使用などにおいては、満足な洗浄感が得られず不快であるという課題があった。
本発明は、上記課題を解決するためになされたもので、本発明の目的は、通常の家庭用電源を使用しながら、満足な洗浄感を得ることができ、かつ、節電にも寄与する人体洗浄装置を提供することにある。
【０００５】
【課題を解決するための手段・作用及び効果】
上記目的を達成するために、本発明は、洗浄水を供給する給水路と、給水温度を検知する水温検知手段と、前記給水路に接続してなる洗浄水加熱手段と、前記洗浄水加熱手段によって加熱された洗浄水の温度を検知する湯温検知手段と、前記水温検知手段と湯温検知手段の信号を取り込み、前記洗浄水加熱手段による洗浄水の加熱を制御する制御器と、洗浄水の吐水先を人体洗浄位置と排水位置とのいずれかに変更する変更手段と、洗浄水を噴出する洗浄ノズルと、を備えてなる人体洗浄装置において、前記変更手段が前記洗浄水の吐水先を前記排水位置とした状態で前記洗浄水加熱手段により前記洗浄水を加熱しつつ前記給水路に通水する時間を、周囲環境温度を検知する温度検知手段からの信号に応じて予め決定し、前記予め決定した時間だけ、前記洗浄水加熱手段により前記洗浄水を加熱しつつ前記給水路に通水するものである。
【０００６】
この装置において、周囲環境温度を検知する検知手段にて予測を行ない、洗浄水の供給又は停止を指示する操作手段により洗浄水の供給が指示された際、変更手段により排水位置にて吐水させ、湯温検知手段にて適温を検知したのち周囲環境温度の検知手段の信号によって人体洗浄位置へ流路を変更するタイミングを可変させる。例えば、寒冷地における冬季の使用の時は前記洗浄水加熱手段以降の給水路を暖めるのに必要な熱量を予測し、所定時間の前洗浄動作を２秒間伸ばし、適温水を余分に給水路に流すことで給水路を暖め、洗浄初期にでる洗浄水温を適温に保持する制御を行なう。
【０００７】
また、洗浄水の停止が指示された際、洗浄ノズルを収納した後、変更手段により排水位置にて所定時間吐水させ、周囲環境温度を検知する検知手段の信号によって洗浄水加熱手段以降の給水路に与える必要熱容量を予測し、排水位置での吐水を停止するタイミングを可変させ、給水路を暖めておくことで、即洗浄水の供給が指示された際でも洗浄初期にでる洗浄水温を適温に保持する。
結果、寒冷地における冬季の使用などにおいても満足な洗浄感が得ることができ、たいへん有用である。
【０００８】
【発明の実施の形態】
本発明の人体洗浄装置について、実施の形態を説明する。
人体洗浄装置は、洗浄水を供給する給水路と、給水温度を検知する水温検知手段と、給水路に接続してなる洗浄水加熱手段と、洗浄水加熱手段によって加熱された洗浄水の温度を検知する湯温検知手段と、前記水温検知手段と湯温検知手段の信号を取り込み、洗浄水加熱手段による洗浄水の加熱を制御する制御器と、洗浄水の吐水先を人体洗浄位置と排水位置とのいずれかに変更する変更手段と、洗浄水を噴出する洗浄ノズルとを備え、周囲環境温度を検知する温度検知手段を設けている。
【０００９】
この温度検知手段として、人体洗浄装置が設置された室内の室温検知手段を利用することができる。また温度検知手段の他の手段として、前記した洗浄水の水温検知手段もしくは室内暖房温度検知手段もしくは温風温度検知手段を利用することができる。
【００１０】
そのような人体洗浄装置において、前記装置への人体接近もしくは前記装置の使用を検知する着座検知手段により着座が検知されると、洗浄水の供給が指示され、前記洗浄ノズルを収納した状態にて吐水して洗浄水を便器内に排出し、前記排出の際に、前記洗浄水加熱手段により加熱された洗浄水を前記給水路に通水する時間を、前記温度検知手段の検知温度が低い場合には伸ばすことができる。
【００１１】
また、そのような人体洗浄装置において、洗浄水の供給又は停止を指示する操作手段により洗浄水の供給が指示されると、前記変更手段により前記洗浄ノズルを収納した状態にて吐水し、前記吐水の際に、前記洗浄ノズルを収納した状態にて前記洗浄水加熱手段により加熱された洗浄水を前記給水路に通水する時間を、前記温度検知手段の検知温度が低い場合には伸ばすことができる。なお、ここで、吐水先の排水位置あるいは洗浄ノズルを収納した状態とは、例えば、洗浄ノズルを人体洗浄装置のケーシングに収納するなどした状態で、洗浄ノズルから噴出される洗浄水が人体に当たらずに便器内に排出される状態を指している。
【００１２】
次に、人体洗浄装置の別の実施の形態を説明する。
人体洗浄装置は、洗浄水を供給する給水路と、該給水路に接続してなる洗浄水供給手段及び洗浄水加熱手段と、該洗浄水加熱手段によって加熱された洗浄水の温度を検知する湯温検知手段と、該湯温検知手段の信号を取り込み、前記洗浄水加熱手段による洗浄水の加熱を制御する制御器と、洗浄水の吐水先を人体洗浄位置と排水位置とのいずれかに変更する変更手段と、洗浄水を噴出する洗浄ノズルとを備え、前記洗浄水加熱手段の表面温度を検知する温度検知手段を設けている。
この温度検知手段は、具体的には、洗浄水を流動状態で瞬間的に加熱昇温させる瞬間加熱式熱交換器の外側表面に取付けたサーミスタなどを利用することができる。
【００１３】
また、温度検知手段の他の例として、室温を検知する検知手段や給水路内に配置した水温検知手段を用いてもよい。
【００１４】
また、温度検知手段のさらに他の例として、給水路内に配置した水温検知手段及び湯温検知手段による検知信号及び洗浄水加熱手段への出力信号を代用して、洗浄水加熱手段の表面温度を推測する推測手段を設けたり、各信号から温度検知手段に基づく制御対象を推論するようにしてもよい。
【００１５】
温度検知手段として室内温度検知手段を用いた人体洗浄装置においては、人体を乾燥する乾燥手段を設け、室温検知手段により前記乾燥手段を制御するのが好ましい。
また、このような人体洗浄装置において、室内を暖房する暖房手段を設け、前記室温検知手段により前記室内暖房手段を制御するのも好ましい。
【００１６】
さて、前述したように、温度検知手段として給水路内に配置した水温検知手段及び湯温検知手段による検知信号及び洗浄水加熱手段への出力信号を代用してなる人体洗浄装置においては、排水位置にて洗浄水供給手段動作後の水温検知手段及び湯温検知手段による検知信号及び洗浄水加熱手段への出力信号により洗浄水加熱手段以降の給水路表面に与える必要熱容量を予測する予測手段を備えるものとしてもよい。
【００１７】
この場合、予測手段により予測された必要熱容量に基づき、吐水先の変更手段による人体洗浄位置への流路変更タイミングを可変する可変手段を備えるのが好ましい。
【００１８】
また、装置への人体接近若しくは装置の使用を検知する人体検知手段を備え、人体検知手段により人体が検知されたことにより洗浄水供給手段を動作させるのも、また好ましい。
【００１９】
さらに、洗浄水の供給を指示する指示手段を設け、指示手段により洗浄水の供給指示がなされたことにより洗浄水供給手段を動作させてもよい。
【００２０】
この人体洗浄装置において、変更手段は洗浄ノズルを装置内に収納する位置と装置外に突出させる位置とに移動する移動手段により構成することができる。
【００２１】
なお、予測手段により予測された必要熱容量に基づき、洗浄水流量を変更する流量変更手段を備えてもよい。
さらに、予測手段により予測された必要熱容量に基づき、洗浄水加熱手段への出力を変更する加熱変更手段を備えてもよい。
【００２２】
【実施例】
以下、本発明の一実施例を添付図面に基づいて説明する。
本発明の人体洗浄装置の一実施例である人体局部洗浄装置を図１に示す。ここで図１は、洗浄水の供給系を示す概略構成図である。図１において、洗浄水を供給する給水路としての給水配管１１には、上流側から順に、定流量弁１２、洗浄水供給手段としての電磁弁１３、洗浄水加熱手段としての熱交換器１４が接続されている。熱交換器１４の出口部には、バキュームブレーカ１５が接続されている。バキュームブレーカ１５の下流は二方に分岐し、一方は余剰の水を便器内に直接捨てるための捨水配管１６へ、他方は流路切替兼流量調整弁１８へ接続されている。流路切替兼流量調整弁１８の下流には、脈動発生装置１７が接続されている。吐水先の変更手段としての流路切替兼流量調整弁１８の下流は二方に分岐し、一方は捨水路１９へ、他方は脈動発生装置１７を介して洗浄水を人体へ噴出するノズル装置２１へ接続されている。なお、この例では、流路切替弁２０はノズル装置２１内に一体的に構成されている。
また、熱交換器１４内には温水ヒータ２２が、また熱交換器１４の入水部と出水部には、それぞれ、熱交換器１４への入水温度を検知する水温検知手段としての冷水サーミスタ２３及び熱交換器１４からの出湯温度を検知する湯温検知手段としての温水サーミスタ２４が設けてある。また、捨水路１９の排水先は、ノズル装置２１の胴体を洗浄できる位置にしている。また、ノズル装置２１には、おしり流路２５、やわらか流路２６、ビデ流路２７の３つの流路が構成されている。なお上記各部の制御は、制御器２８によって行われる。
本実施例では、脈動発生装置１７の上流にアキュームレータ２９を、熱交換器１４内にはフロートスイッチ３０を、また、脈動発生装置１７には温度ヒューズ３１を設けてある。アキュームレータ２９は、脈動発生装置１７で発生した脈動が上流へ伝播するのを防ぐためのものであり、フロートスイッチ３０は、所定の水位を検知していない時には、温水ヒータ２２への通電を行わないようにすることで空焚きを防ぐためのものであり、また、温度ヒューズ３１は、脈動発生装置１７の異常温度上昇時に駆動を停止し、安全を図るためのものである。
【００２３】
上記の構成により、電磁弁１３の開動作により給水配管１１から供給された洗浄水は、熱交換器１４により適温の湯に加熱され、バキュームブレーカ１５を押し上げ、流路切替兼流量調整弁１８により流量調節され、脈動発生装置１７により脈動を付与され、流路切替弁２０へと至り、流路切替弁２０により選択された流路を通り、ノズル装置２１から噴出されるのである。
【００２４】
図２に本発明のタイムチャートを示す。便座（図示せず）に設けられた着座スイッチ（図示せず）により着座を検知すると、電磁弁１３の開動作により洗浄水の通水が始まり、熱交換器１４内の温水ヒータ２２を起動する。熱交換器１４の出水部に設けられた温水サーミスタ２４が所定温度を検知すると、温水ヒータ２２の出力を下げ、電磁弁１３が閉じて洗浄水の通水を停止する。これにより、熱交換器１４内の滞留水は所定温度の湯に置換されるのである。なお、この動作中に供給された洗浄水は、ノズル装置２１の吐水口から排出され、便器内に排出される。この時の吐水口とはおしり流路２５、やわらか流路２６、ビデ流路２７の３つの流路全てを開とした状態を示す。また流路切替兼流量調整弁１８で捨水路１９を選択し、排水先をノズル装置２１の胴体を洗浄できる位置にしておくことにより、ノズル装置２１の胴体洗浄を行うこともできる。またこの滞留水の置換をまた、これら一連の動作は制御器２８で制御されるが、熱交換器１４の出水部に設けられた温水サーミスタ２４に加え、熱交換器１４の入水部に冷水サーミスタ２３を設けて入水温を検知するようにし、温水サーミスタ２４の制御をより効果的に行なっている。(通水加熱）
【００２５】
上述したとおり、洗浄水の通水を停止した後に温水ヒータ２２の出力を下げるのであるが、このとき、熱交換器１４内に貯えられる洗浄水の温度が常に所定温度を含む所定温度帯内に保たれるように、温水サーミスタ２４からの信号を元に、温水ヒータ２２の出力を制御器２８で制御する。例えば、所定温度を４０℃、所定温度帯を３８℃〜４２℃に設定したとき、熱交換器１４内の洗浄水の温度が常にこの範囲内に納まるように制御するのである。この保温制御により、人体洗浄時に低温水が出て不快を感じたり、高温のお湯が出て火傷をしたりする心配がなくなる。なお、熱交換器１４より下流の配管内の滞留水にこの保温制御を行うことができないが、後述する前洗浄時にこの滞留水は排出され、適温のお湯に置換されるため実用上問題はない。（保温制御）
【００２６】
次に、おしり洗浄を開始するため、おしりスイッチ（図示せず）が操作されると、電磁弁１３、温水ヒータ２２、脈動発生装置１７が順に起動される。ここで、流路切替兼流量調整弁１８は予めノズル装置２１側へ向かう流路に切り替えられており、その下流の流路切替弁２０はセルフクリーニング（ＳＣ）位置に設定されているため、洗浄水はノズル装置２１の吐水口から吐水される。すなわち、吐水口部の前洗浄が行われるのである。なお、ここで言うセルフクリーニング位置とは、おしり流路２５、やわらか流路２６、ビデ流路２７の３つの流路全てを開とした状態を示す。このとき、脈動を付与された洗浄水で前洗浄が行われるため、吐水口部の汚れを効果的に洗い落とすことができる。（前洗浄）
【００２７】
前洗浄が所定時間行われた後、温水サーミスタ２４が所定温度範囲内にあれば冷水サーミスタの２３の検知温度によって熱交換器１４以降の給水路に与える必要熱容量を予測し、流路切替兼流量調整弁１８により洗浄水の流路が捨水路１９に切り替えるタイミングを可変させる。例えば寒冷地における冬季の使用の時は冷水サーミスタ２３での検知温度も低いと推定されるため、所定の前洗浄時間を２秒間伸ばし、適温水を余分に給水路に流してから切り替えることで給水路を暖め、洗浄初期にでる洗浄水温を適温に保持する制御を行なう。ここで熱交換器１４以降の給水路に与える必要熱容量を予測する手段として冷水サーミスタの２３を例にあげたが、室温検知専用の室温サーミスタ（図示なし）もしくは室内暖房用の室暖サーミスタ（図示なし）もしくは温風機能用の温風サーミスタ（図示なし）を利用してもよい。
この捨水路１９の排水先は、上述したとおりノズル装置２１の胴体を洗浄できる位置にしているので、ノズル装置２１の胴体洗浄を行うことができる。ここでノズルの胴体洗浄は、適温かつ脈動を付与された洗浄水で行われるので、汚れを効果的に洗い落とすことができる。そしてノズルは収納位置からおしり洗浄位置に伸出し、流路切替弁２０はおしり流路２５に切り替わる。（ノズル伸出）
【００２８】
ソフトスタート動作が終了すると、設定された水勢の適温湯で、おしり洗浄が行われる。ここでも脈動発生装置１７の働きにより洗浄水に脈動が付与されているので、少量の水でも快適に洗浄を行うことができる。（本洗浄）
【００２９】
次に、おしり洗浄を停止するため、停止スイッチ（図示せず）が操作されると、脈動発生装置１７は駆動を停止し、流路切替兼流量調整弁１８により洗浄水の流路が捨水路１９に切り替わる。このとき、ノズル伸出の際と同様、ノズル装置２１の胴体洗浄を行うことができる。そしてノズルは後退し、収納位置に収納する。なお、流路切替弁２０はセルフクリーニング位置に切り替えられる。（ノズル収納）
【００３０】
ノズルの収納が終了すると、洗浄水の流路は、再度流路切替兼流量調整弁１８によりノズル装置２１側へと切り替えられ、脈動発生装置１７も起動する。ここで、流路切替弁２０はセルフクリーニング位置に設定されており、洗浄水はノズル装置２１の吐水口から吐水される。すなわち、吐水口部の後洗浄が行われるのである。このとき、脈動を付与された洗浄水で後洗浄が行われるため、吐水口部の汚れを効果的に洗い落とすことができる。（後洗浄）
【００３１】
なお、上述の前洗浄から後洗浄に至る一連の動作中、制御器２８は、温水サーミスタ２４や冷水サーミスタ２３からの信号を元に、熱交換器１４から流出する洗浄水が適温に保たれるように制御している。
後洗浄が所定時間行われた後、温水サーミスタ２４が所定温度範囲内にあれば冷水サーミスタの２３の検知温度によって熱交換器１４以降の給水路に与える必要熱容量を予測し、排水位置での吐水を停止するタイミングを可変させ、給水路を暖めておくことで、即洗浄水の供給が指示された際でも洗浄初期にでる洗浄水温を適温に保持することが可能となる。
脈動発生装置１７、電磁弁１３は順に駆動を停止し、温水ヒータ２２は出力を下げる。ここでも熱交換器１４内に貯えられる洗浄水の温度が常に所定温度を含む所定温度帯内に保たれるように、保温制御を行う。これは、再び洗浄操作を行う場合にも、低温水や高温のお湯の吐水を防ぐためである。（保温制御）
【００３２】
そして、上記着座スイッチ（図示せず）により離座（着座オフ）を検知すると、温水ヒータ２２の駆動を停止する。ただし、熱交換器１４内の洗浄水の凍結を防止するため、冷水サーミスタ２３か温水サーミスタ２４が凍結の恐れのある水温を検知した場合には、所定時間温水ヒータ２２を駆動して洗浄水を温める制御を行う。（待機）
【００３３】
ところで、この実施例では、おしりスイッチが操作された場合について述べたが、ビデ洗浄を開始するためのビデスイッチや、よりソフトな水流でおしりを洗うやわらか洗浄を開始するためのやわらかスイッチが操作された場合も同様であるので、詳しい説明は割愛する。
【００３４】
本実施例では、脈動発生装置１７を、熱交換器１４の下流に配置するように構成している。これは、熱交換器１４内に不要な脈動圧を与えないともに、配管内での脈動圧の減衰を抑えるために脈動発生装置１７をなるべく吐水部近くに配置するためである。
また、脈動発生装置１７を、前洗浄、ノズル胴体洗浄、ソフトスタート、本洗浄、後洗浄のすべての動作中に駆動させるように構成しているが、これらのうちいずれかの動作中のみ駆動させるようにしてもよい。さらに、各動作における脈動発生装置１７の駆動または停止を、使用者が選択できるように選択スイッチを設けてもよい。
また、人体接近若しくは使用を検知する手段として着座スイッチを例にとったが、便蓋が閉状態から開状態となる動作を検知する検知スイッチなどであってもよい。
また、人体接近若しくは使用を検知すると通水加熱制御を自動的に始めるように構成しているが、この制御の実施の可否を使用者が選択することができる節電スイッチを設けてもよい。この場合、使用者が節電スイッチをオンに設定していると、人体接近若しくは使用を検知した場合でも通水加熱制御を自動的に始めることはないため、より節電に寄与できる。ただしこのとき、使用者が洗浄を開始するためのスイッチを押しても、すぐには適温の洗浄水を吐出することはできないため、吐水を遅延させておいて、その間に温水ヒータ２２を起動させて洗浄水を適温に温めるような制御を行うとよい。
また、洗浄水の吐水先をノズル吐出口と排水位置とに変更する手段として流路切替兼流量調整弁１８を例にとったが、ノズルの進退を司るノズル駆動手段などであってもよい。この場合、ノズルの伸出時にはノズル吐出口から、ノズルの収納時には排水位置から、洗浄水が吐水するように構成すればよい。
また、空焚き防止のための水位検知手段としてフロートスイッチ３０を例にとったが、サーミスタを利用した空気検知サーミスタによる手段や、電極により水位を検知する方法、光の屈折を利用した光センサーによる手段などの各種の手段であってもよい。
【００３５】
なお、通水加熱において、流路切替兼流量調整弁１８による吐水先をノズル装置に向かうようにしておき、前洗浄で行うような、冷水サーミスタでの検知温度に基づき必要熱容量を予測した湯の吐水時間を変化させる制御を行うようにしてもよい。
【００３６】
なお、以上述べた例は全て、人体の中でも特に局部の洗浄を行う人体局部洗浄装置について説明を行ったが、シャワーや水栓などの一般的な人体洗浄装置に本実施例が応用できることは言うまでもない。
【図面の簡単な説明】
【図１】  本発明の一実施例を示す人体洗浄装置の概略構成図。
【図２】  図１の例のタイムチャート。
【図３】  従来の人体洗浄装置の概略構成図。
【図４】  図３の例のタイムチャート。
【符号の説明】
１１…給水配管（給水路）
１２…定流量弁
１３…電磁弁（洗浄水供給手段）
１４…熱交換器（洗浄水加熱手段）
１５…バキュームブレーカ
１６…捨水配管
１７…脈動発生装置
１８…流路切替兼流量調整弁（変更手段）
１９…捨水路
２０…流路切替弁
２１…ノズル装置
２２…温水ヒータ
２３…冷水サーミスタ（水温検知手段）
２４…温水サーミスタ（湯温検知手段）
２５…おしり流路
２６…やわらか流路
２７…ビデ流路
２８…制御器
２９…アキュームレータ
３０…フロートスイッチ
３１…温度ヒューズ
５１…給水配管
５２…定流量弁
５３…電磁弁
５４…バキュームブレーカ
５５…捨水配管
５６…流量調整用ポンプ
５７…熱交換器
５８…流路切替弁
５９…ノズル装置
６０…温水ヒータ
６１…冷水サーミスタ
６２…温水サーミスタ
６３…おしり流路
６４…ビデ流路
６５…捨水路
６６…制御器
【図１】
0004586947.tif 000002
【図２】
0004586947.tif 000003
【図３】
0004586947.tif 000004
【図４】
0004586947.tif 000005